(57)【要約】【課題】乳幼児を抱いて移動する場合に使用するに適した抱っこ紐であって、幼児が地面からの放射線を受けることを効果的に防止できるものを提供すること。【解決手段】母親等の左右の肩に掛ける左右一対の肩ベルトと、幼児を保持する保持部とを備えた抱っこ紐であって、前記保持部に保持された幼児の背から腰にかけて外側からの放射線を遮断する防護シートを取り付けた抱っこ紐。前記保持部に幼児の背部から腰部にかけてシート材を挿入できるポケットを形成し、該ポケットに防護シートを挿入しておくのが好ましい。また、幼児の頭部を覆う日除けを防護シートで形成しておくのも効果的である。【選択図】図１
2013116166.tif 000002
【特許請求の範囲】
【請求項１】
左右の肩に掛ける左右一対の肩ベルトと、幼児を保持する保持部とを備えた抱っこ紐であって、前記保持部に保持された幼児の背から腰にかけて外側からの放射線を遮断する防護シートを取り付けたことを特徴とする抱っこ紐。
【請求項２】
保持部に幼児の背部から腰部にかけてシート材を挿入できるポケットを形成し、該ポケットに防護シートを挿入した請求項１に記載の抱っこ紐。
【請求項３】
幼児の頭部を覆う日除けを防護シートで形成した請求項１又は２に記載の抱っこ紐。
【請求項４】
幼児の頭部の後ろにあてがわれて該頭部を支える頭部支持帯を防護シートで形成した請求項１又は２に記載の抱っこ紐。
【発明の詳細な説明】
【技術分野】
【０００１】
本発明は、地上に散乱した放射性物質が発する放射線から幼児を防護する機能を備えた抱っこ紐に関するものである。
【背景技術】
【０００２】
乳幼児を連れて外出するときは、ベビーカーを使用するのが一般的である。しかしながら、電車の中や商店の中のような狭い場所では、ベビーカーが邪魔になるので、このような場所に行く場合は、乳幼児を抱っこするかおんぶすることが多い。このために種々の抱っこ紐が実用されている。
【０００３】
従来使用されてきた抱っこ紐としては、乳幼児を保持する本体部に母親の左右両肩に掛ける左右一対の肩ベルトを取り付けたもの（特許文献１参照）や、左右一対の環状帯体（肩ベルト）をＸ字状に交差させ、その交差部に乳幼児を保持するようにしたもの（特許文献２参照）等がある。また、この種の抱っこ紐には、小物品を収納するポケットを設けたものもある。
【０００４】
最近、大地震と津波による原発事故によって、放射性物質が広い範囲に散乱したため、これら放射性物質からの放射線が人体に及ぼす影響が懸念されている。特に、幼児は放射線の影響を受け易いといわれており、日常生活においても、幼児が放射線の影響を受けることを極力避けたいのが親心であろう。
【０００５】
ところで、幼児を連れて外出する場合、ベビーカーか抱っこ紐を利用して幼児を保持するのが普通であるが、幼児が地面に散乱している放射性物質からの放射線を受ける危険性がある場所では、何らかの手段でそれを防護するのが好ましい。しかしながら、従来の抱っこ紐には、地面からの放射線に対する配慮がなされていなかった。
【先行技術文献】
【特許文献】
【０００６】
【特許文献１】特開２００１−３２７３６９号公報
【０００７】
【特許文献２】実用新案登録第３１２８５９６号公報
【発明の概要】
【発明が解決しようとする課題】
【０００８】
本発明は、上記事情に鑑み、幼児が地面からの放射線を受けることを効果的に防止できる抱っこ紐を提供することを課題としている。
【課題を解決するための手段】
【０００９】
上記課題を解決するため、本発明は次のような構成を採用した。すなわち、請求項1に記載の本発明に係る抱っこ紐は、左右の肩に掛ける左右一対の肩ベルトと、幼児を保持する保持部とを備えた抱っこ紐であって、前記保持部に保持された幼児の背から腰にかけて外側からの放射線を遮断する防護シートを取り付けたことを特徴としている。
【００１０】
また、請求項２に記載の抱っこ紐は、請求項１に記載の抱っこ紐において、保持部に幼児の背部から腰部にかけてシート材を挿入できるポケットを形成し、該ポケットに防護シートを挿入したものである。さらに、請求項３に記載の抱っこ紐は、上記の抱っこ紐において、幼児の頭部を覆う日除けを防護シートで形成したものである。また、請求項４に記載の抱っこ紐は、請求項１又は２に記載の抱っこ紐において、幼児の頭部の後ろにあてがわれて該頭部を支える頭部支持帯を防護シートで形成したものである。
【発明の効果】
【００１１】
請求項１に記載の本発明に係る抱っこ紐は、幼児を保持する保持部に、幼児の背から腰にかけて外部からの放射線を遮断する防護シートを配置しているので、幼児が放射線の影響を受けることを効果的に防止することができる。
【００１２】
この防護シートは、請求項２に記載のように保持部にポケットを形成して、該ポケットに挿入保持するようにすると、防護シートの取り付けが簡単であり、不要時には取り外すこともできるので便利である。また、請求項３に記載のように、防護シートからなる日除けを設けておくと、幼児の頭部の保護上好ましい。さらに、請求項４に記載のように、防護シートを取り付けた頭部支持帯を設けておけば、まだ首の据わっていない幼児の場合でも効果的に防護することができる。
【図面の簡単な説明】
【００１３】
【図１】本発明の実施形態を表す概観図である。
【図２】使用法の説明図である。
【図３】保持部の断面図である。
【図４】上記と異なる実施形態を表す概観図である。
【図５】日除けを引き伸ばした状態を表わす外観図である。
【図６】上記と異なる抱っこ紐の外観図である。
【図７】さらに異なる抱っこ紐の外観図である。
【発明を実施するための最良の形態】
【００１４】
以下、本発明の好ましい実施形態について具体的に説明する。図１は本発明に係る抱っこ紐の斜視図であり、図２はその使用方法を表す図である。この抱っこ紐１は、幼児を保持する保持部２を備え、該保持部２の上部に左右一対の環状の肩ベルト３，３が取り付けられている。保持部２は、幼児の首部分から腰部分まで保持するもので、その下端部は使用時に湾曲状に折り曲げられて幼児の腰を支持する腰保持部２ａとなっている。環状の肩ベルト３は、上側の基部３ａが保持部２の上端部に固着され、下側の基部３ｂは保持部２の上下中間部に固着されている。
【００１５】
左右の肩ベルト３，３は連結ベルト６によって互いに連結されている。この連結ベルト６は長さを調節できる。また、各肩ベルトには、長さ調節用のバックル７が設けられ、肩ベルト３の長さを調節できるようになっている。
【００１６】
腰保持部２ａの下側には腰ベルト１０が設けられている。腰ベルト１０は、比較的強度の高い広幅のベルトで形成されており、腰保持部２ａを補強する機能も備えている。腰ベルトの延長部１１は、使用時に母親等のウエストを巻回することにより保持部を安定的に支持するもので、その長さは調節可能となっている。
【００１７】
保持部２の外面側には、二つのポケット１４，１５が設けられている。上側のポケット１４は、日除け１７を収納するもので、細いスリット状の開口１４ａを備えている。また、下側のポケット１５は、保冷材等の小物を収納するためのもので、スライドファスナー付きの開口１５ａを備えている。
【００１８】
日除け１７は、比較的柔軟な薄いクロスでつくられたもので、不使用時には内側のポケット１４内に折り畳んで収納することができ、使用時には、該ポケット１４から引き出して幼児の頭部を覆うことができる。図１に示す引き出し状態では、日除け１７の自由端部に取り付けた左右一対の紐体１８の先端部を左右の肩ベルト３に設けたボタン等の固定手段１９に固定できるようになっている。この場合、図５に示すように、紐体１８の長手方向に沿って複数のボタン穴を設けておけば、日除け１７と肩紐３の間の長さの調節が可能となるので便利である。スナップファスナー、面ファスナー等、他の適当な固定手段を採用することもできる。
【００１９】
この抱っこ紐１には、地面からの放射線が大量に保持部の幼児に届かないように遮断する防護シートＳが設けられている。
【００２０】
防護シートＳは、放射線を効果的に遮断することのできる板状、布状等のシートであり、放射線被爆防止のために従来から使用されている高鉛ガラス、含鉛樹脂（例えばアクリル）板、含鉛クロス等を利用することができる。含有する鉛の量が多ければ重量が大きくなり、少なければ放射線遮断効果が低下するので、用途に応じて適当なものを選択すればよい。
【００２１】
防護シートＳは、保持部２のほぼ全域にわたって配置されている。この実施形態では、図３に示すように、保持部２の内側に薄いポケット５が形成され、このポケット５内に防護シートＳが挿入配置されている。このような保持構造とすると、防護シートの取付けが簡単であり、保持が確実であるとともに、不使用時には取り外して軽量化することも可能である。この場合の防護シートＳとしては、０．２〜０．３ｍｍＰｂ程度のものが好ましい。
【００２２】
図示例では、さらに薄い防護シートＳを日除け１７として利用するようになっている。この場合の防護シートＳは、ポケット１４に収納可能とするため、薄くてかつ柔軟な布でなければならないので、０．０３ｍｍＰｂ程度のクロスが好ましい。なお、日除け１７としては、図示例のような柔軟なものとせず、剛性の高いシートを利用してもよい。この場合、日除けを着脱可能としておけば実用上便利である。
【００２３】
つぎに、図４は上記と若干異なる実施形態を表すもので、この例では、保持部２の外面側に二重のポケット１４，１５が設けられ、防護シートＳ（Ａ）が外側のポケット１５内に収納されている。また、このポケット１５の下側の腰保持部２ａには別の保護シートＳ（Ｂ）が取り付けられている。この保護シートＳ（Ｂ）は、腰保持部２ａの内側に縫着されているが、他の固定手段で取り付けておいてもよい。
【００２４】
図５は、日除け１７の基部にも固定手段を設けた例を表すもので、この実施形態では、日除け１７の基部にも固定用の紐体２０が設けられ、その自由端部を外側のポケット１５の外面に設けた固定手段（図示例では固定用のバックル）２１に固定するようになっている。このようにしておけば、日除け１７の安定性を向上することができる。
【００２５】
つぎに、図６は上記と異なる実施形態を表すもので、この実施形態では、抱っこ紐１‘が環状のベルトをＸ字状に組み合わせたタイプのもので、この抱っこ紐では、Ｘ状の交差部に幼児を保持するようになっている。この場合も、幼児を保持する保持部２に防護シートＳが配置されている。この防護シートＳは、保持部２の外面側に貼り付けておいてもよく、内側に配しておいてもよい。
【００２６】
図７は、さらに異なる実施形態を表すもので、この実施形態では、保持部２の上端部に、首の据わっていない幼児のためのカラー状の頭部支持帯３０が設けられている。この頭部支持帯３０にも防護シートＳが取り付けられている。場合によっては、防護シートＳで頭部支持帯３０を形成し、それにやわらかい布のカバーを被せてもよい。
【００２７】
以上の説明から明らかなように、本発明に係る抱っこ紐は、幼児を保持する着座部の付近に放射線を遮断する防護シートＳが設けられているので、放射性物質が散乱した場所でも幼児に放射線が当たることを効果的に抑制できるようになった。
【符号の説明】
【００２８】
１            抱っこ紐
２            着座部
３            肩ベルト
５            防護シート用ポケット
６            連結ベルト
１０          腰ベルト
１４          内側ポケット
１５          外側ポケット
１７          日除け
３０          頭部支持帯
Ｓ            防護シート
【図１】
2013116166.tif 000003
【図２】
2013116166.tif 000004
【図３】
2013116166.tif 000005
【図４】
2013116166.tif 000006
【図５】
2013116166.tif 000007
【図６】
2013116166.tif 000008
【図７】
2013116166.tif 000009